(57)【要約】２層書き換え可能型ＤＶＤにおいて第１記録可能領域と第２記録可能領域とが互いに異なる層に存在し、かつこれらの記録可能領域間の距離（Ｌｍ）が所定距離（Ｌｒ）以下でないときには、第２記録可能領域と同じ層であってかつ第１記録可能領域との距離が所定距離（Ｌｒ）以下である場所に中継領域を形成し、第１記録可能領域、中継領域および第２記録可能領域に、この順序で順次に情報を記録する。所定距離（Ｌｒ）は、例えば２個の記録可能領域にそれぞれ記録される情報間のシームレス再生が保証される距離の最大値である。
2007037287.tif 000002
【特許請求の範囲】
【請求項１】
複数の層を有する情報記録媒体に対し情報を記録する記録装置であって、
互いに異なる層に存在する第１記録可能領域と第２記録可能領域との間の距離を認識する距離認識手段と、
前記距離認識手段により認識された前記距離が所定距離以下であるか否かを判断する距離判断手段と、
前記距離判断手段の判断結果に基づき、前記距離認識手段により認識された前記距離が前記所定距離以下でないときには、順次に再生すべき情報を、(a)前記第１記録可能領域、(b)前記第２記録可能領域と同じ層に存在しかつ前記第１記録可能領域との距離が前記所定距離以下である中継領域、および(c)前記第２記録可能領域に、この順序に従って順次に記録する記録手段とを備えていることを特徴とする記録装置。
【請求項２】
前記距離認識手段は、
前記第１記録可能領域と前記第２記録可能領域とが互いに異なる層に存在するか否かを判断する層判断手段と、
前記第１記録可能領域と前記第２記録可能領域との間の距離を測定する距離測定手段とを備えていることを特徴とする請求の範囲第１項に記載の記録装置。
【請求項３】
前記距離認識手段は、前記第１記録可能領域の末尾と前記第２記録可能領域の先頭との間の距離を認識することを特徴とする請求の範囲第１項に記載の記録装置。
【請求項４】
前記所定距離の値は、２個の記録可能領域にそれぞれ記録される情報間のシームレス再生が保証される距離の最大値であることを特徴とする請求の範囲第１項に記載の記録装置。
【請求項５】
前記所定距離は、６５５３６セクタであることを特徴とする請求の範囲第１項に記載の記録装置。
【請求項６】
前記中継領域の長さは、前記情報の１記録単位の長さに等しいことを特徴とする請求の範囲第１項に記載の記録装置。
【請求項７】
前記第１記録可能領域の末尾と前記第２記録可能領域の先頭との間の距離が前記所定距離以下でなく、かつ前記第１記録可能領域の末尾と前記第２記録可能領域の末尾との間の距離が前記所定距離未満であるときには、前記記録手段は、順次に再生すべき情報を、(a)前記第１記録可能領域、(b)前記第２記録可能領域内に存在しかつ前記第１記録可能領域との距離が前記所定距離以下である中継領域、および(c)前記第２記録可能領域内において前記中継領域以外の領域に、この順序に従って順次に記録することを特徴とする請求の範囲第１項に記載の記録装置。
【請求項８】
前記記録装置は中継領域形成手段を有し、
前記中継領域形成手段は、前記中継領域とすべき場所にすでに別の情報が記録されているときに、当該別の情報を前記第１記録可能領域、前記第２記録可能領域または他の記録可能領域に移動させ、これにより前記中継領域を形成することを特徴とする請求の範囲第１項に記載の記録装置。
【請求項９】
複数の層を有する情報記録媒体に対し情報を記録する記録装置であって、
互いに異なる層に存在する第１記録可能領域と第２記録可能領域との間の距離を認識する距離認識手段と、
前記距離認識手段により認識された前記距離が所定距離以下であるか否かを判断する距離判断手段と、
前記距離判断手段の判断結果に基づき、前記距離認識手段により認識された前記距離が前記所定距離以下でないときには、順次に再生すべき情報を、(a)前記第１記録可能領域、(b)前記第１記録可能領域と同じ層に存在しかつ前記第２記録可能領域との距離が前記所定距離以下である中継領域、および(c)前記第２記録可能領域に、この順序に従って順次に記録する記録手段とを備えていることを特徴とする記録装置。
【請求項１０】
前記距離認識手段は、
前記第１記録可能領域と前記第２記録可能領域とが互いに異なる層に存在するか否かを判断する層判断手段と、
前記第１記録可能領域と前記第２記録可能領域との間の距離を測定する距離測定手段とを備えていることを特徴とする請求の範囲第９項に記載の記録装置。
【請求項１１】
前記距離認識手段は、前記第１記録可能領域の末尾と前記第２記録可能領域の先頭との間の距離を認識することを特徴とする請求の範囲第９項に記載の記録装置。
【請求項１２】
前記所定距離の値は、２個の記録可能領域にそれぞれ記録される情報間のシームレス再生が保証される距離の最大値であることを特徴とする請求の範囲第９項に記載の記録装置。
【請求項１３】
前記所定距離は、６５５３６セクタであることを特徴とする請求の範囲第９項に記載の記録装置。
【請求項１４】
前記中継領域の長さは、前記情報の１記録単位の長さに等しいことを特徴とする請求の範囲第９項に記載の記録装置。
【請求項１５】
前記記録装置は中継領域形成手段を有し、
前記中継領域形成手段は、前記中継領域とすべき場所にすでに別の情報が記録されているときに、当該別の情報を前記第１記録可能領域、前記第２記録可能領域または他の記録可能領域に移動させ、これにより前記中継領域を形成することを特徴とする請求の範囲第９項に記載の記録装置。
【請求項１６】
複数の層を有する情報記録媒体に対し情報を記録する記録装置であって、
互いに異なる層に存在する２個の記録可能領域間の距離を認識する距離認識手段と、
前記距離認識手段により認識された前記距離が所定距離以下であるか否かを判断する距離判断手段と、
前記距離判断手段の判断結果に基づき、前記距離認識手段により認識された前記距離が前記所定距離以下でないときには、前記２個の記録可能領域のうちの一方の記録可能領域と同じ層であってかつ前記２個の記録可能領域のうちの他方の記録可能領域との距離が前記所定距離以下である場所に中継領域を形成する中継領域形成手段とを備えていることを特徴とする記録装置。
【請求項１７】
複数の層を有する情報記録媒体に対し情報を記録する記録方法であって、
互いに異なる層に存在する第１記録可能領域と第２記録可能領域との間の距離を認識する距離認識工程と、
前記距離認識工程において認識された前記距離が所定距離以下であるか否かを判断する距離判断工程と、
前記距離判断工程における判断結果に基づき、前記距離認識工程において認識された前記距離が前記所定距離以下でないときには、順次に再生すべき情報を、(a)前記第１記録可能領域、(b)前記第２記録可能領域と同じ層に存在しかつ前記第１記録可能領域との距離が前記所定距離以下である中継領域、および(c)前記第２記録可能領域に、この順序に従って順次に記録する記録工程とを備えていることを特徴とする記録方法。
【請求項１８】
複数の層を有する情報記録媒体に対し情報を記録する記録方法であって、
互いに異なる層に存在する第１記録可能領域と第２記録可能領域との間の距離を認識する距離認識工程と、
前記距離認識工程において認識された前記距離が所定距離以下であるか否かを判断する距離判断工程と、
前記距離判断工程における判断結果に基づき、前記距離認識工程において認識された前記距離が前記所定距離以下でないときには、順次に再生すべき情報を、(a)前記第１記録可能領域、(b)前記第１記録可能領域と同じ層に存在しかつ前記第２記録可能領域との距離が前記所定距離以下である中継領域、および(c)前記第２記録可能領域に、この順序に従って順次に記録する記録工程とを備えていることを特徴とする記録方法。
【請求項１９】
複数の層を有する情報記録媒体に対し情報を記録する記録方法であって、
互いに異なる層に存在する２個の記録可能領域間の距離を認識する距離認識工程と、
前記距離認識工程において認識された前記距離が所定距離以下であるか否かを判断する距離判断工程と、
前記距離判断工程における判断結果に基づき、前記距離認識工程において認識された前記距離が前記所定距離以下でないときには、前記２個の記録可能領域のうちの一方の記録可能領域と同じ層であってかつ前記２個の記録可能領域のうちの他方の記録可能領域との距離が前記所定距離以下である場所に中継領域を形成する中継領域形成工程とを備えていることを特徴とする記録方法。
【請求項２０】
請求の範囲第１項に記載の記録装置としてコンピュータを機能させることを特徴とするコンピュータプログラム。
【請求項２１】
請求の範囲第９項に記載の記録装置としてコンピュータを機能させることを特徴とするコンピュータプログラム。
【発明の詳細な説明】
【技術分野】
【０００１】
本発明は、複数の層を有する情報記録媒体に対し情報を記録する記録装置および記録方法に関する。
【背景技術】
【０００２】
現在、ユーザが情報を記録することができる記録可能型の記録ディスクとして、追記型記録ディスクと書き換え可能型記録ディスクがある。追記型記録ディスクとして、ＤＶＤ−Ｒ、ＤＶＤ＋Ｒなどの追記型ＤＶＤが普及している。書き換え可能型記録ディスクとしては、ＤＶＤ−ＲＷ、ＤＶＤ＋ＲＷ、ＤＶＤ−ＲＡＭなどの書き換え可能型ＤＶＤが普及している。【０００３】
このような記録可能型ＤＶＤには、ＶＲ（Video Recording）規格が定められている。ＶＲ規格によれば、ユーザは、ＤＶＤレコーダを用いて、テレビ番組などのコンテンツのデータを記録可能型ＤＶＤに記録することができ、さらに、記録可能型ＤＶＤにいったん記録したデータを編集することができる。【０００４】
さらに、書き換え可能型記録ＤＶＤの場合には、ユーザは、ＤＶＤレコーダを用いて、書き換え可能型ＤＶＤにいったん記録したデータで削除し、データを削除した場所に再び他のデータを記録することができる。【０００５】
例えば、ユーザが、まだ一度もデータが記録されたことのない未記録の１層書き換え可能型ＤＶＤに、５個のコンテンツ＃１、＃２、＃３、＃４、＃５をこの順序で順次に記録したとする。この場合、コンテンツ＃１ないし＃５に対応するデータブロック＃１ないし＃５が、１層書き換えが可能型ＤＶＤの内周側から外周側にわたって順次に記録される。つまり、データブロック＃１は１層書き換え可能型ＤＶＤの最内周側近傍に記録され、データブロック＃５は１層書き換え可能型ＤＶＤの最外周側近傍に記録される。【０００６】
また、データブロック＃１ないし＃５の合計のデータの大きさが、１層書き換え可能型ＤＶＤのユーザデータ領域の大きさとほぼ等しいとする。この場合、データブロック＃１ないし＃５が記録された後、１層書き換え可能型ＤＶＤには空き領域がなくなる。【０００７】
後に、ユーザがコンテンツ＃１および＃５だけを削除したとする。これにより、１層書き換え可能型ＤＶＤにおいて、データブロック＃１が記録されていた領域と、データブロック＃５が記録されていた領域が、それぞれ記録可能領域となる。つまり、１層書き換え可能型ＤＶＤの最内周側近傍に第１記録可能領域が作り出され、最外周側近傍に第２記録可能領域が作り出される。なお、「記録可能領域」とは、情報ないしデータを記録することが可能な領域であって、未記録領域、空き領域、および、先に記録された情報ないしデータが削除され、上書きが許可された領域などが含まれる。未記録領域であっても、情報ないしデータを後で記録するために予約された領域は、「記録可能領域」には含まれない。【０００８】
続いて、ユーザが新たなコンテンツ＃６を１層書き換え可能型ＤＶＤに記録したとする。コンテンツ＃６に対応するデータの大きさが、第１記録可能領域の大きさよりも大きく、かつ第２記録可能領域の大きさよりも大きいとすると、コンテンツ＃６に対応するデータは、第１記録可能領域と第２記録可能領域に分断されて順次に記録される。つまり、コンテンツ＃６に対応するデータは、データブロック＃６Ａとデータブロック＃６Ｂに分けられ、データブロック＃６Ａは１層書き換え可能型ＤＶＤの最内周側近傍に記録され、データブロック＃６Ｂは１層書き換え可能型ＤＶＤの最外周側近傍に記録される。この結果、１個のコンテンツとしてシームレスに再生されるべき２個のデータブロックが、１層書き換え可能型ＤＶＤのユーザデータ領域において互いに大きく離れた場所に記録されることになる。【０００９】
さて、ユーザデータ領域内において互いに大きく離れた場所に記録されたデータブロック間のシームレス再生を保証するためには、再生装置（例えばＤＶＤプレーヤ）にストリームバッファメモリを設けることが望ましい。すなわち、内周側に記録されたデータブロックから外周側に記録されたデータブロックへ光ビームの照射位置がジャンプ（サーチ）する間には、データの読取が一時中断される。この間においてもデータの再生を継続するためには、データを先読みして、読み取ったデータをストリームバッファメモリに蓄えておき、光ビームの照射位置のジャンプのためにデータの読取が一時中断されたときには、ストリームバッファメモリに蓄えられているデータを消費して、データの再生を維持する。【００１０】
さらに、製造コスト削減などの要請から大きな記憶容量を有するストリームバッファメモリを再生装置に搭載することが困難な場合には、上記シームレス再生を保証するために、記録可能型ＤＶＤに記録すべきデータの構造や再生装置の構造などについてさらにいくつかの制限ないし条件を追加する必要が出てくる。【００１１】
ＤＶＤ規格では、１層の記録可能型ＤＶＤのユーザデータ領域内において互いに離れた場所に記録されているデータブロック同士のシームレス再生を保証するために、概ね次のような条件事項を定めている。
(a1)  ユーザデータ領域に記録するデータブロック（ＣＤＡ：Contiguous Data Area）は、物理的に連続しており、かつ２Ｍバイト以上の大きさを有すること。
(a2)  再生装置は少なくとも１６Ｍビットの記憶容量を有するストリームバッファメモリを持つこと。
(a3)  再生装置において、ディスクのどこへサーチしても１．５秒以内にサーチが完了すること。【００１２】
ＤＶＤ規格は、このような条件を満たす限り、１層の記録可能型ＤＶＤのユーザデータ領域内において２個のデータブロックが互いにいかに大きく離れた場所に記録されていても、これらのデータブロック間のシームレス再生を保証している。
【発明の開示】
【発明が解決しようとする課題】
【００１３】
ところで、現在、片面に２層の記録層を有する記録可能型ＤＶＤの開発が進められている。【００１４】
２層の記録可能型ＤＶＤにおいてデータブロック間のシームレス再生を考慮するときには、同一層のユーザデータ領域内において２個のデータブロックが互いに大きく離れた場所に記録される場合だけでなく、２個のデータブロックが互いに異なる層に記録される場合をも考慮する必要がある。そして、互いに異なる層に記録された２個のデータブロック間を再生装置がサーチする場合には、層をまたいで光ビームの照射位置をジャンプさせる必要があり、層をまたいで光ビームの照射位置をジャンプさせる場合には、同一層内において光ビームの照射位置をジャンプさせる場合と比較して、ジャンプ動作に長い時間がかかる場合があることを考慮する必要がある。【００１５】
この点につき、ＤＶＤ規格には、再生装置について概ね次のような事項が定められている。
(b1)  互いに異なる層に記録された２個のデータブロック間の距離が０〜５０００セクタであれば、ジャンプを１．４秒以内に完了すること。
(b2)  互いに異なる層に記録された２個のデータブロック間の距離が１５００１〜６５５３６セクタであれば、ジャンプを１．５秒以内に完了すること。【００１６】
ここで、上述した事項(a3)と事項(b2)とを比較して検討すると、互いに異なる層に記録された２個のデータブロック間の距離が６５５３６セクタ以下であれば、これらのデータブロック間のシームレス再生が保証される。【００１７】
ところが、互いに異なる層に記録された２個のデータブロック間の距離が６５５３６セクタよりも大きいときには、シームレス再生が保証されない。【００１８】
上述したように、書き換え可能型ＤＶＤにおいては、ユーザは、いったん記録されたデータを削除し、データが削除された場所に他のデータを記録するといったことを行うことができる。したがって、シームレスに再生すべき２個のデータブロックが互いに異なる層に記録され、かつこれらのデータブロック間の距離が６５５３６セクタより大きい場合は生じうる。【００１９】
このため、ユーザが、１個のコンテンツを２層書き換え可能型ＤＶＤに記録し、この記録したコンテンツがシームレスに再生されると期待しているにもかかわらず、実際にはシームレス再生がなされないといった事態が生じるおそれがある。これはユーザの期待を裏切ることとなり、好ましくない。【００２０】
本発明は上記に例示したような問題点に鑑みなされたものであり、本発明の課題は、複数の層を有する情報記録媒体において２個の記録可能領域が互いに異なる層に存在し、これらの記録可能領域が互いに大きく離れている場合でも、シームレス再生が保証されるように当該２層情報記録媒体に情報を記録することができる記録装置、記録方法およびコンピュータプログラムを提供することにある。
【課題を解決するための手段】
【００２１】
上記課題を解決するために本発明の第１記録装置は、複数の層を有する情報記録媒体に対し情報を記録する記録装置であって、互いに異なる層に存在する第１記録可能領域と第２記録可能領域との間の距離を認識する距離認識手段と、前記距離認識手段により認識された前記距離が所定距離以下であるか否かを判断する距離判断手段と、前記距離判断手段の判断結果に基づき、前記距離認識手段により認識された前記距離が前記所定距離以下でないときには、順次に再生すべき情報を、(a)前記第１記録可能領域、(b)前記第２記録可能領域と同じ層に存在しかつ前記第１記録可能領域との距離が前記所定距離以下である中継領域、および(c)前記第２記録可能領域に、この順序に従って順次に記録する記録手段とを備えている。【００２２】
上記課題を解決するために本発明の第２記録装置は、複数の層を有する情報記録媒体に対し情報を記録する記録装置であって、互いに異なる層に存在する第１記録可能領域と第２記録可能領域との間の距離を認識する距離認識手段と、前記距離認識手段により認識された前記距離が所定距離以下であるか否かを判断する距離判断手段と、前記距離判断手段の判断結果に基づき、前記距離認識手段により認識された前記距離が前記所定距離以下でないときには、順次に再生すべき情報を、(a)前記第１記録可能領域、(b)前記第１記録可能領域と同じ層に存在しかつ前記第２記録可能領域との距離が前記所定距離以下である中継領域、および(c)前記第２記録可能領域に、この順序に従って順次に記録する記録手段とを備えている。【００２３】
上記課題を解決するために本発明の第３記録装置は、複数の層を有する情報記録媒体に対し情報を記録する記録装置であって、互いに異なる層に存在する２個の記録可能領域間の距離を認識する距離認識手段と、前記距離認識手段により認識された前記距離が所定距離以下であるか否かを判断する距離判断手段と、前記距離判断手段の判断結果に基づき、前記距離認識手段により認識された前記距離が前記所定距離以下でないときには、前記２個の記録可能領域のうちの一方の記録可能領域と同じ層であってかつ前記２個の記録可能領域のうちの他方の記録可能領域との距離が前記所定距離以下である場所に中継領域を形成する中継領域形成手段とを備えている。【００２４】
上記課題を解決するために本発明の第１記録方法は、複数の層を有する情報記録媒体に対し情報を記録する記録方法であって、互いに異なる層に存在する第１記録可能領域と第２記録可能領域との間の距離を認識する距離認識工程と、前記距離認識工程において認識された前記距離が所定距離以下であるか否かを判断する距離判断工程と、前記距離判断工程における判断結果に基づき、前記距離認識工程において認識された前記距離が前記所定距離以下でないときには、順次に再生すべき情報を、(a)前記第１記録可能領域、(b)前記第２記録可能領域と同じ層に存在しかつ前記第１記録可能領域との距離が前記所定距離以下である中継領域、および(c)前記第２記録可能領域に、この順序に従って順次に記録する記録工程とを備えている。【００２５】
上記課題を解決するために本発明の第２記録方法は、複数の層を有する情報記録媒体に対し情報を記録する記録方法であって、互いに異なる層に存在する第１記録可能領域と第２記録可能領域との間の距離を認識する距離認識工程と、前記距離認識工程において認識された前記距離が所定距離以下であるか否かを判断する距離判断工程と、前記距離判断工程における判断結果に基づき、前記距離認識工程において認識された前記距離が前記所定距離以下でないときには、順次に再生すべき情報を、(a)前記第１記録可能領域、(b)前記第１記録可能領域と同じ層に存在しかつ前記第２記録可能領域との距離が前記所定距離以下である中継領域、および(c)前記第２記録可能領域に、この順序に従って順次に記録する記録工程とを備えている。【００２６】
上記課題を解決するために本発明の第３記録方法は、複数の層を有する情報記録媒体に対し情報を記録する記録方法であって、互いに異なる層に存在する２個の記録可能領域間の距離を認識する距離認識工程と、前記距離認識工程において認識された前記距離が所定距離以下であるか否かを判断する距離判断工程と、前記距離判断工程における判断結果に基づき、前記距離認識工程において認識された前記距離が前記所定距離以下でないときには、前記２個の記録可能領域のうちの一方の記録可能領域と同じ層であってかつ前記２個の記録可能領域のうちの他方の記録可能領域との距離が前記所定距離以下である場所に中継領域を形成する中継領域形成工程とを備えている。【００２７】
上記課題を解決するために本発明のコンピュータプログラムは、本発明の第１、第２又は第３記録装置（但し、その各種態様を含む）としてコンピュータを機能させる。【００２８】
上記課題を解決するために、コンピュータ読取可能な媒体内のコンピュータプログラム製品は、コンピュータにより実行可能なプログラム命令を明白に具現化し、該コンピュータを、本発明の第１、第２又は第３記録装置（但し、その各種態様を含む）として機能させる。【００２９】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の第１、第２、又は第３記録装置を比較的容易に実施可能となる。更に具体的には、当該コンピュータプログラム製品は、上述した本発明の第１、第２、又は第３記録装置として機能させるコンピュータ読取可能なコード（或いはコンピュータ読取可能な命令）から構成されてよい。【００３０】
本発明のこのような作用及び他の利得は次に説明する実施形態及び実施例から明らかにされる。
【図面の簡単な説明】
【００３１】
【図１】本発明の記録装置の実施形態を示すブロック図である。
【図２】２層書き換え可能型ＤＶＤを示す説明図である。
【図３】図１中の記録装置のデータ記録動作を示すフローチャートである。
【図４】図２中のデータ記録動作の続きを示すフローチャートである。
【図５】図２中のデータ記録動作の続きを示すフローチャートである。
【図６】中継領域形成処理を示すフローチャートである。
【図７】２層書き換え可能型ＤＶＤに第１の状態で存在する記録可能領域を示す説明図である。
【図８】２層書き換え可能型ＤＶＤに第２の状態で存在する記録可能領域を示す説明図である。
【図９】２層書き換え可能型ＤＶＤの記録可能領域にデータが記録された状態を示す説明図である。
【図１０】２層書き換え可能型ＤＶＤに第３の状態で存在する記録可能領域を示す説明図である。
【図１１】２層書き換え可能型ＤＶＤの第２層に中継領域が形成された状態を示す説明図である。
【図１２】２層書き換え可能型ＤＶＤの第２層に中継領域が形成された状態を示す説明図である。
【図１３】２層書き換え可能型ＤＶＤの記録可能領域にデータが記録された状態を示す説明図である。
【図１４】２層書き換え可能型ＤＶＤの第１層に中継領域が形成された状態を示す説明図である。
【図１５】データ編集後に行う、中継領域形成の必要性の判断処理および中継領域形成処理を示すフローチャートである。
【図１６】本発明の記録装置の実施例を示すブロック図である。
【符号の説明】
【００３２】
１０、１００  記録装置
１１  距離認識部
１２  距離判断部
１３  記録部
１４  層判断部
１５  距離測定部
１６  中継領域形成部
【発明を実施するための最良の形態】
【００３３】
以下、本発明を実施するための最良の形態について実施形態毎に順に図面に基づいて説明する。【００３４】
図１は、本発明の記録装置の実施形態を示している。図１中の記録装置１０は、２層の書き換え可能型ＤＶＤに対し情報ないしデータを記録する記録装置であり、例えばＤＶＤレコーダである。書き換え可能型ＤＶＤは、例えばＤＶＤ−ＲＷ、ＤＶＤ＋ＲＷ、ＤＶＤ−ＲＡＭといった種類がある。なお、本発明の記録装置で取り扱うことが可能な書き換え可能型情報記録媒体は、書き換え可能型ＤＶＤに限られず、書き換え可能型ブルーレイディスク、書き換え可能型ＨＤＤＶＤなどといった他の書き換え可能型情報記録媒体でもよい。また、本発明は、その適用の仕方によっては、ＤＶＤ−Ｒ、ＤＶＤ＋Ｒなどといった追記型情報記録媒体にも適用することができる。つまり、データの上書きが生じないような態様で本発明を具体化することも可能である。また、本実施形態においては２層の情報記録媒体を例示するが、本発明は、その趣旨を脱しない範囲において、３層以上の情報記録媒体への適用も可能である。また、本発明の記録装置はＤＶＤレコーダに限られず、他のレコーダでもよく、あるいはデータを情報記録媒体に記録する機能を備えたコンピュータやカーナビゲーションシステムでもよい。また、本発明の記録装置によって２層情報記録媒体に記録する情報ないしデータは、例えば映像データ、画像データ、音声データといったコンテンツデータであり、あるいは文書データ、数値データなどでもよい。本発明の記録装置によって２層情報記録媒体に記録する情報ないしデータには、コンテンツデータの再生などを管理または制御するための管理情報または制御情報が含まれている。【００３５】
図１に示すように、記録装置１０は、距離認識部１１、距離判断部１２および記録部１３を備えている。【００３６】
距離認識部１１は、互いに異なる層に存在する第１記録可能領域と第２記録可能領域との間の距離を認識する。距離認識部１１は、層判断部１４および距離測定部１５を備えている。層判断部１４は、第１記録可能領域と第２記録可能領域とが互いに異なる層に記録されているか否かを判断する。距離測定部１５は、第１記録可能領域と第２記録可能領域との間の距離を測定する。距離認識部１１は、例えばＣＰＵ、ＭＰＵなどの演算処理装置、およびＲＯＭ（Read Only Memory）、ＲＡＭ（Random Access Memory）などの記憶装置により構成されている。【００３７】
距離判断部１２は、距離認識部１１により認識された、第１記録可能領域と第２記録可能領域との間の距離が所定距離以下であるか否かを判断する。距離判断部１２は、例えばＣＰＵ、ＭＰＵなどの演算処理装置、およびＲＯＭ、ＲＡＭなどの記憶装置により構成されている。【００３８】
記録部１３は、２層書き換え可能型ＤＶＤの記録可能領域にデータを記録する。具体的には、距離判断部１２の判断結果に基づき、距離認識部１１により認識された、第１記録可能領域と第２記録可能領域との間の距離が所定距離以下でないとき、記録部１３は、順次に再生すべきデータを、(a)第１記録可能領域、(b)第２記録可能領域と同じ層に存在しかつ第１記録可能領域との距離が所定距離以下である中継領域、および(c)第２記録可能領域に、この順序に従って順次に記録する。【００３９】
また、記録部１３は、中継領域形成部１６を備えている。距離判断部１２の判断結果に基づき、距離認識部１１により認識された、第１記録可能領域と第２記録可能領域との間の距離が所定距離以下でないとき、中継領域形成部１６は、第２記録可能領域と同じ層であってかつ第１記録可能領域との距離が所定距離以下である場所に中継領域を形成する。さらに、中継領域とすべき場所にすでに別の情報ないしデータが記録されているときには、中継領域形成部１６は、当該別の情報ないしデータを第１記録可能領域、第２記録可能領域または他の記録可能領域に移動させ、これにより中継領域とすべき場所に第３の記録可能領域を形成し、これを中継領域とする。【００４０】
記録部１３は、例えばＣＰＵ、ＭＰＵなどの演算処理装置、光ピックアップなどの光学系を制御する制御装置、およびスピンドルモータなどのディスク駆動系を制御する制御装置により構成されている。【００４１】
図２は、記録装置１０により情報ないしデータが記録される２層書き換え可能型ＤＶＤを示している。図２中の２層書き換え可能型ＤＶＤ２０の第１層（レイヤー０）２１には、その内周側にリードイン領域２３が形成され、外周側にミドル領域２４が形成され、リードイン領域２３とミドル領域２４との間には、ユーザデータ領域２５が形成されている。また、２層記録可能型ＤＶＤ２０の第２層（レイヤー１）２２には、その外周側にミドル領域２６が形成され、内周側にリードアウト領域２７が形成され、ミドル領域２６とリードアウト領域２７との間には、ユーザデータ領域２８が形成されている。【００４２】
図３ないし図６は、記録装置１０のデータ記録時の動作を示している。図７ないし図１４は、２層書き換え可能型ＤＶＤ２０に存在する記録可能領域などを示している。【００４３】
例えば、ユーザが長時間のコンテンツを２層書き換え可能型ＤＶＤ２０に記録した後、コンテンツの前半の一部と後半の一部を削除したとする。この結果、図７に示すように、２層書き換え可能型ＤＶＤ２０のユーザデータ領域２５および２８の全域にデータ３１がいったん記録された後、ユーザデータ領域２５に記録されたデータの一部と、ユーザデータ領域２８に記録されたデータの一部が削除されたとする。そして、現段階では、２層書き換え可能型ＤＶＤ２０の第１層には第１記録可能領域３２が存在し、第２層には第２記録可能領域３３が存在しているとする。【００４４】
さらに、このような記録状態を有する２層書き換え可能型ＤＶＤ２０に対し、ユーザが新たなコンテンツを記録すべき旨の指示を記録装置１０に与えたとする。【００４５】
この指示に応じて、記録装置１０は、当該新たなコンテンツに対応するデータ（以下、これを「対象データ」という。）を２層書き換え可能型ＤＶＤ２０に記録する動作を行う。現段階において、２層書き換え可能型ＤＶＤ２０にデータを記録することができる領域は、第１記録可能領域３２と第２記録可能領域３３だけである。そこで、対象データの大きさが、第１記録可能領域３２の大きさよりも大きく、かつ第２記録可能領域３３の大きさよりも大きい場合には、記録装置１０は、対象データを、第１記録可能領域３２と第２記録可能領域３３とに分断して順次に記録する。【００４６】
すなわち、記録装置１０は次のような動作を行う。図３に示すように、記録装置１０は、まず、２層書き換え可能型ＤＶＤ２０において第１記録可能領域３２と第２記録可能領域３３とが互いに異なる層に存在するか否かを判断する（ステップＳ１）。【００４７】
この判断は層判断部１４により例えば次のように行われる。層判断部１４は、２層書き換え可能型ＤＶＤ２０に記録されている管理情報を参照し、第１記録可能領域３２の末尾位置のアドレスまたは第１記録可能領域３２の層番号を取得する。続いて、層判断部１４は、２層書き換え可能型ＤＶＤ２０に記録されている管理情報を参照し、第２記録可能領域３３の末尾位置のアドレスまたは第２記録可能領域３３の層番号を取得する。続いて、層判断部１４は、これら取得したアドレスまたは層番号に基づいて、第１記録可能領域３２と第２記録可能領域３３とが互いに異なる層に存在するか否かを判断する。【００４８】
図７に示すように、第１記録可能領域３２と第２記録可能領域３３とが互いに異なる層に存在するときには（ステップＳ１：ＹＥＳ）、記録装置１０は、続いて、第１記録可能領域３２の末尾と第２記録可能領域３３の先頭との間の距離Ｌｍを測定する（ステップＳ４）。【００４９】
この測定は距離測定部１５により例えば次のように行われる。距離測定部１５は、まず、第１記録可能領域３２の末尾位置Ｂ−１（Ｂの直前）のアドレスを認識する。末尾位置Ｂ−１のアドレスは、例えば２層書き換え可能型ＤＶＤ２０に記録された管理情報に基づいて認識することができる。続いて、距離測定部１５は、第２記録可能領域３３の先頭位置Ｃのアドレスを認識する。先頭位置Ｃのアドレスは、例えば２層書き換え可能型ＤＶＤ２０に記録されている管理情報に基づいて認識することができる。続いて、距離測定部１５は、第２記録可能領域３３が存在する層において、第１記録可能領域３２の末尾位置Ｂ−１に対応する位置Ｅのアドレスを認識する。続いて、距離測定部１５は、位置Cのアドレスと位置Ｅのアドレスとの差の絶対値に対応するセクタ数を算出する。【００５０】
なお、２層情報記録媒体において、第１層中のある位置Ｐと、この位置Ｐに対応する第２層中の位置Ｑとの双方が、層に対して垂直な方向の伸びる直線上にあるとは限らない。つまり、位置Ｑが位置Ｐの真上に位置するとは限らない。２層の書き換え可能型ＤＶＤの場合、規格上、位置Ｐと位置Ｑとは、層に対して平行な方向において所定距離、離れている（例えば位置Ｐに対し位置Ｑは２３Ｅ０ｈ内周側にずれている）。これは、光ビームの層間偏向（deviation between layer 0 and layer 1）を考慮したものである。このような観点から、図７においても、位置Ｂ−１に対応する位置Ｅは、位置Ｂ−１の真上であるとは限らない。【００５１】
続いて、記録装置１０は、第１記録可能領域３２の末尾と第２記録可能領域３３の先頭との間の距離Ｌｍが所定距離Ｌｒ以下であるか否かを判断する（ステップＳ５）。所定距離Ｌｒの値は、２個の記録可能領域にそれぞれ記録される情報ないしデータ間のシームレス再生が保証される距離の最大値であることが望ましい。所定距離Ｌｒは、例えば６５５３６セクタである。所定距離Ｌｒは、記録装置１０のメモリなど（図示せず）に予め記憶されている。【００５２】
ステップＳ５における判断は、距離判断部１２により例えば次のように行われる。距離判断部１２は、距離測定部１５により算出された位置Ｃのアドレスと位置Ｅのアドレスとの差の絶対値に対応するセクタ数を取得する。続いて、距離判断部１２は、記憶装置１０のメモリから所定距離Ｌｒの値を読み出す。続いて、距離判断部１２は、位置Ｃのアドレスと位置Ｅのアドレスとの差の絶対値に対応するセクタ数と、所定距離Ｌｒの値（６５５３６セクタ）とを比較する。【００５３】
図７に示すように、第１記録可能領域３２の末尾と第２記録可能領域３３の先頭との間の距離Ｌｍが所定距離Ｌｒ以下であるときには（ステップＳ５：ＹＥＳ）、記録装置１０は、第１記録可能領域３２および第２記録可能領域３３に対象データを順次に記録する（ステップＳ２およびＳ３）。【００５４】
この記録は、記録部１３により例えば次のように行われる。記録部１３は、まず第１記録可能領域３２の先頭位置Ａから末尾位置Ｂ−１にわたって対象データを記録し（ステップＳ２）、続いて、第２記録可能領域３３の先頭位置Ｃから末尾位置Ｄ−１に向けて対象データの残部を記録する（ステップＳ３）。【００５５】
一方、図８に示すように、第１記録可能領域３２の末尾と第２記録可能領域３３の先頭との間の距離Ｌｍが所定距離Ｌｒ以下でないときには（ステップＳ５：ＮＯ）、記録装置１０は、第１記録可能領域３２の末尾と第２記録可能領域３３の末尾との間の距離Ｌｎを測定する（ステップＳ６）。この測定は、距離測定部１５により、距離Ｌｍの測定と同様に行われる。このステップにおいて、距離測定部１５は、位置Ｄのアドレスと位置Ｅのアドレスとの差の絶対値に対応するセクタ数を算出する。【００５６】
続いて、記録装置１０は、第１記録可能領域３２の末尾と第２記録可能領域３３の末尾との間の距離Ｌｎが所定距離Ｌｒ以下であるか否かを判断する（ステップＳ７）。この判断は、距離判断部１２により、上述したステップ５と同様に行われる。このステップにおいて、距離判断部１２は、位置Ｄのアドレスと位置Ｅのアドレスとの差の絶対値に対応するセクタ数と、所定距離Ｌｒの値（例えば６５５３６セクタ）とを比較する。【００５７】
図８に示すように、第１記録可能領域３２の末尾と第２記録可能領域３３の末尾との間の距離Ｌｎが所定距離Ｌｒ以下であるときには（ステップＳ７：ＹＥＳ）、記録装置１０は位置Ｆを認識する。位置Ｆは、第２記録可能領域３３が存在する第２層において、第１記録可能領域３２の末尾位置Ｂ−１に対応する位置Ｅから第２記録可能領域３３に向けて所定距離Ｌｒ離れた位置である。続いて、記録装置１０は、第２記録可能領域３３の末尾位置Ｄと位置Ｆとの間の距離Ｌｃが、１記録単位長さ以上か否かを判断する（ステップＳ８）。なお「１記録単位長さ」とは、例えばＣＤＡの長さであり、少なくとも２Ｍバイト以上の連続領域であり、かつ空き領域として記録装置が認識する連続領域の最低長のことである。【００５８】
位置Ｄと位置Ｆとの間の距離Ｌｃが１記録単位長さ以上であるときには（ステップＳ８：ＹＥＳ）、記録装置１０は、第１記録可能領域３２、中継領域３４および領域３５に、対象データを順次に記録する（図４中のステップＳ９ないしＳ１１）。領域３５は、第２記録可能領域３３内において中継領域３４以外の領域である。【００５９】
この記録は記録部１３により例えば次のように行われる。記録部１３は、まず第１記録可能領域３２の先頭位置Ａから末尾位置Ｂ−１にわたって対象データを記録する（ステップＳ９）。続いて、記録部１３は、第２記録可能領域３３内に作り出された中継領域３４の先頭位置Ｆから中継領域３４の末尾位置（第２記録可能領域３３の末尾位置）Ｄ−１にわたって対象データの残部を記録する（ステップＳ１０）。続いて、記録部１３は、第２記録可能領域３３において中継領域以外の領域３５の先頭位置（第２記録可能領域３３の先頭位置）Ｃから当該領域３５の末尾位置（中継領域３４の直前）Ｆ−１に向けて対象データのさらなる残部を記録する（ステップＳ１１）。この結果、図９に示すように、２層書き換え可能型ＤＶＤ２０には、対象データが、データブロック＃１、＃２および＃３に分断されて記録される。【００６０】
一方、第２記録可能領域３３の末尾位置Ｄと位置Ｆとの間の距離Ｌｃが１記録単位長さ以上でないとき（ステップＳ８：ＮＯ）、あるいは、図１０に示すように、第１記録可能領域３２の末尾と第２記録可能領域３３の末尾との間の距離Ｌｎが所定距離Ｌｒ以下でないときには（ステップＳ７：ＮＯ）、記録装置１０は中継領域形成処理を実行する（ステップＳ１２）。【００６１】
中継領域形成処理は、中継領域形成部１６により例えば図６に示すように行われる。まず中継領域形成部１６は、２層書き換え可能型ＤＶＤ２０のユーザデータ領域２５またはユーザデータ領域２８内において中継領域を形成する場所を設定する（ステップＳ２１）。具体的には、中継領域形成部１６は、中継領域の先頭位置と中継領域の長さを設定する。【００６２】
図１１に示すように、中継領域３６の先頭位置は、第２記録可能領域３３と同じ層に存在しかつ第１記録可能領域３２との距離が所定距離Ｌｒ以下である範囲内に設定する。中継領域３６の先頭位置を設定する場所は、この範囲内であればどこでもよい。もっとも、中継領域３６の先頭位置は、図１１に示すように、第２記録可能領域３３と同じ層であってかつ第１記録可能領域３２の末尾位置に対応する位置に形成することが望ましい。第２記録可能領域３３と同じ層であってかつ第１記録可能領域３２の末尾位置に対応する位置に中継領域３６の先頭位置を設定することにより、データの再生時において、第１記録可能領域３２に記録されたデータの読取終了から中継領域３６に記録されたデータの読取開始までの間にかかる時間を短くすることができる。具体的には、中継領域形成部１６は、第２記録可能領域３３が存在する第２層において、第１記録可能領域３２の末尾位置Ｂ−１に対応する位置Ｅに、中継領域３６の先頭位置を設定する。【００６３】
続いて、中継領域形成部３６は、中継領域３６の長さを設定する。中継領域３６の長さは短い方がよい。中継領域３６の長さは１記録単位長さに等しいことが望ましい。中継領域３６の長さを短くすることにより、後述するステップＳ２２において移動させるべきデータの大きさを小さくすることができ、データの移動にかかる時間を短縮化することができる。中継領域３６の長さを１記録単位長さに等しく設定すると、中継領域３６の末尾位置はＧの直前（Ｇ−１）になる。【００６４】
続いて、中継領域形成部１６は、中継領域３６が形成される場所にすでに記録されている別のデータを、第２記録可能領域３３内に移動させ、中継領域３６が形成される場所を記録可能な状態にする（ステップＳ２２）。この結果、図１１に示すように、中継領域３６が形成される場所が第３の記録可能領域となる。そして、例えば、中継領域３６が形成される場所に記録されていた別のデータを第２記録可能領域３３内の位置Ｈから位置Ｄの直前（Ｄ−１）までの間に移動させた場合には、第２記録可能領域３３の末尾位置は位置Ｈの直前（Ｈ−１）となる。【００６５】
上記別のデータを移動させる場所は、当該別のデータが記録されている層と同一の層に存在する記録可能領域内であることが望ましい。なお、当該別のデータを移動させる場所は、当該別のデータが記録されている層と同一の層に存在する記録可能領域内であれば、第２記録可能領域３３内に限られない。図１１の例では、当該別のデータが記録されている層、つまり第２層に存在する記録可能領域は第２記録可能領域３３だけなので、当該別のデータを移動させる場所を、第２記録可能領域３３内とせざるを得ない。しかし、図１２に示すように、第２層のユーザデータ領域２８の内周側に他の記録可能領域３７が存在する場合には、当該別のデータを移動させる場所を、記録可能領域３７内としてもよい。【００６６】
以上より、中継領域形成処理は完了である。記録装置１０の動作は、図４中のステップＳ１２から図５中のステップＳ１３ないしＳ１５に移行する。そして、ステップＳ１３ないしＳ１５において、記録装置１０は、第１記録可能領域３２、中継領域３６、および第２記録可能領域３３に対象データを順次に記録する。【００６７】
この記録は記録部１３により例えば次のように行われる。記録部１３は、まず、図１１に示す第１記録可能領域３２の先頭位置Ａから末尾位置Ｂ−１にわたって対象データを記録する（ステップＳ１３）。続いて、記録部１３は、中継領域３６の先頭位置Ｅから中継領域３６の末尾位置Ｇ−１にわたって対象データの残部を記録する（ステップＳ１４）。続いて、記録部１３は、第２記録可能領域３３の先頭位置Ｃから末尾位置Ｈ−１に向けて対象データのさらなる残部を記録する（ステップＳ１５）。この結果、図１３に示すように、２層書き換え可能型ＤＶＤ２０には、対象データが、データブロック＃１、＃２および＃３に分断されて記録される。【００６８】
他方、第１記録可能領域と第２記録可能領域とが互いに同一の層に存在するときには（ステップＳ１：ＮＯ）、記録装置１０は、第１記録可能領域および第２記録可能領域に対象データを順次に記録する（ステップＳ２およびＳ３）。【００６９】
これにより、記録装置１０におけるデータ記録時の動作は完了である。【００７０】
記録装置１０によるこのようなデータ記録動作によって記録された対象データ、つまりデータブロック＃１、＃２および＃３は、再生装置（例えばＤＶＤプレーヤ）によって例えば次のように再生される。【００７１】
まず、図９に示すデータブロック＃１、＃２および＃３の再生は次のように行われる。まず、再生装置は、第１層のユーザデータ領域２５の位置Ａに光ビームを照射し、データブロック＃１のデータを先頭位置Ａから末尾位置Ｂ−１に向けて読み取る。再生装置は、読み取ったデータを、再生装置に設けられたストリームバッファメモリに蓄え、ストリームバッファに蓄えたデータを直ちに再生する。データブロック＃１の末尾位置Ｂ−１のデータの読取が完了すると、再生装置は、データブロック＃２のデータの読取を開始するために、第１層のユーザデータ領域２５の位置Ｘに光ビームの照射位置をジャンプさせる。続いて、再生装置は、位置Ｘから、第２層のユーザデータ領域２８の位置Ｆに光ビームの照射位置をジャンプさせる。【００７２】
第１層の位置Ｂ−１と位置Ｘとの間の距離は所定距離Ｌｒ（例えば６５５３６セクタ）以下である。したがって、再生装置が上述したＶＲ規格に定められた事項(b2)を遵守している限り、光ビームの照射位置が位置Ｂ−１から位置Ｘを通過して第２層の位置Ｆにジャンプするまでにかかる時間は１．５秒以下である。この結果、再生装置が上述したＶＲ規格に定められた事項(a1)および(a2)などを遵守している限り、データブロック＃１とデータブロック＃２との間のシームレス再生が保証される。【００７３】
続いて、再生装置は、第２層のユーザデータ領域２８に記録されたデータブロック＃２のデータを先頭位置Ｆから末尾位置Ｄ−１に向けて読み取り、読み取ったデータをストリームバッファに蓄え、ストリームバッファに蓄えたデータを次々に再生する。データブロック＃２の末尾位置Ｄ−１のデータの読取が完了すると、再生装置は、データブロック＃３のデータの読取を開始するために、第２層のユーザデータ領域２８の位置Ｃに光ビームの照射位置をジャンプさせる。続いて、再生装置は、データブロック＃３のデータを先頭位置Ｃから末尾位置Ｆ−１に向けて読み取り、読み取ったデータをストリームバッファに蓄え、ストリームバッファに蓄えたデータを次々に再生する。データブロック＃３の末尾位置Ｆ−１のデータの読取が完了すると、再生装置はデータの読取を完了する。この後、ストリームバッファメモリに蓄えられたデータの再生がしばらくの間続く。そして、ストリームバッファメモリに蓄えられたデータをすべて再生したとき、再生動作は完了する。【００７４】
データブロック＃２とデータブロック＃３は互いに同じ層に記録されている。したがって、再生装置が上述したＶＲ規格に定められた事項(a1)および(a2)などを遵守している限り、データブロック＃２とデータブロック＃３との間のシームレス再生が保証される。【００７５】
以上より、図９中のデータブロック＃１とデータブロック＃２との間のシームレス再生が保証され、かつ、データブロック＃２とデータブロック＃３との間のシームレス再生が保証される。この結果、３個のデータブロック＃１からデータブロック＃３にかけて、シームレス再生が保証される。【００７６】
次に、図１３に示すデータブロック＃１、＃２および＃３の再生は次のように行われる。まず、再生装置は、第１層のユーザデータ領域２５の位置Ａに光ビームを照射し、データブロック＃１のデータを先頭位置Ａから末尾位置Ｂ−１に向けて読み取る。再生装置は、読み取ったデータをストリームバッファメモリに蓄え、ストリームバッファに蓄えたデータを直ちに再生する。データブロック＃１の末尾位置Ｂ−１のデータの読取が完了すると、再生装置は、データブロック＃２のデータの読取を開始するために、第１層の位置Ｂ−１から第２層のユーザデータ領域２８の位置Ｅに光ビームの照射位置をジャンプさせる。【００７７】
第１層の位置Ｂ−１と第２層の位置Ｅとの間の距離は所定距離Ｌｒ（例えば６５５３６セクタ）以下である。したがって、再生装置が上述したＶＲ規格に定められた事項(b2)を遵守している限り、光ビームの照射位置が位置Ｂ−１から位置Ｅにジャンプするまでにかかる時間は１．５秒以下である。この結果、再生装置が上述したＶＲ規格に定められた事項(a1)および(a2)などを遵守している限り、データブロック＃１とデータブロック＃２との間のシームレス再生が保証される。【００７８】
続いて、再生装置は、第２層のユーザデータ領域２８に記録されたデータブロック＃２のデータを先頭位置Ｅから末尾位置Ｇ−１に向けて読み取り、読み取ったデータをストリームバッファに蓄え、ストリームバッファに蓄えたデータを次々に再生する。データブロック＃２の末尾位置Ｇ−１のデータの読取が完了すると、再生装置は、データブロック＃３のデータの読取を開始するために、第２層の位置Ｃに光ビームの照射位置をジャンプさせる。続いて、再生装置は、データブロック＃３のデータを先頭位置Ｃから末尾位置Ｈ−１に向けて読み取り、読み取ったデータをストリームバッファに蓄え、ストリームバッファに蓄えたデータを次々に再生する。データブロック＃３の末尾位置Ｈ−１のデータの読取が完了すると、再生装置はデータの読取を完了する。この後、ストリームバッファメモリに蓄えられたデータの再生がしばらくの間続く。そして、ストリームバッファメモリに蓄えられたデータをすべて再生したとき、再生動作は完了する。【００７９】
データブロック＃２とデータブロック＃３は互いに同じ層に記録されている。したがって、再生装置が上述したＶＲ規格に定められた事項(a1)および(a2)などを遵守している限り、データブロック＃２とデータブロック＃３との間のシームレス再生が保証される。【００８０】
以上より、図１３中のデータブロック＃１とデータブロック＃２との間のシームレス再生が保証され、かつ、データブロック＃２とデータブロック＃３との間のシームレス再生が保証される。この結果、３個のデータブロック＃１からデータブロック＃３にかけて、シームレス再生が保証される。【００８１】
以上説明したとおり、記録装置１０は、互いに異なる層に存在する第１記録可能領域と第２記録可能領域との間の距離が所定距離Ｌｒ以下であるときには、順次に再生すべきデータを、(a)第１記録可能領域、(b)第２記録可能領域と同じ層に存在しかつ第１記録可能領域との距離が所定距離以下である中継領域、および(c)第２記録可能領域に、この順序に従って順次に記録する。これにより、２層書き換え可能型ＤＶＤにおいて２個の記録可能領域が互いに異なる層に存在し、かつこれらの記録可能領域が互いに大きく離れている場合でも、シームレス再生が保証されるように当該２層書き換え可能型ＤＶＤにデータを記録することができる。【００８２】
なお、上述した説明において、距離判断部１２の判断結果に基づき、距離認識部１１により認識された、第１記録可能領域と第２記録可能領域との間の距離が所定距離以下でないとき、記録部１３は、順次に再生すべきデータを、(a)第１記録可能領域、(b)第２記録可能領域と同じ層に存在しかつ第１記録可能領域との距離が所定距離以下である中継領域、および(c)第２記録可能領域に、この順序に従って順次に記録する。しかし、本発明はこれに限られない。距離判断部１２の判断結果に基づき、距離認識部１１により認識された、第１記録可能領域と第２記録可能領域との間の距離が所定距離以下でないときには、記録部１３は、例えば図１４に示すように、順次に再生すべきデータを、(a)第１記録可能領域３２、(b)第１記録可能領域３２と同じ層に存在しかつ第２記録可能領域３３との距離が所定距離Ｌｒ以下である中継領域３８、および(c)第２記録可能領域３３に、この順序に従って順次に記録してもよい。すなわち、この場合、中継領域形成部１６は、第１記録可能領域３２と同じ層であってかつ第２記録可能領域３３との距離が所定距離Ｌｒ以下である場所に中継領域３８を形成する。【００８３】
また、上述した説明では、記録装置１０は、図３ないし図６に示すように、データ記録時の動作の中で、中継領域形成処理を行う。すなわち、記録装置１０は、ユーザによるデータ記録の指示を受けてから、中継領域の形成が必要か否かを判断し、続いて必要に応じて中継領域を形成し、続いてデータの記録を行う。しかし、本発明はこれに限られない。中継領域の形成の必要性の判断および中継領域形成処理をデータ記録動作時ではなく、別の時期に行ってもよい。【００８４】
例えば、ユーザが長時間のコンテンツを２層書き換え可能型ＤＶＤ２０に記録した後、コンテンツの前半の一部と後半の一部を削除したとする。この直後、すなわちデータ削除処理またはデータ編集処理の直後に、ユーザによるデータ記録の指示の有無にかかわらず、中継領域の形成の必要性の判断および中継領域形成処理を行ってもよい。例えば、データ削除処理またはデータ編集処理の直後に、記録装置は、図１５に示す動作を行う。図１５中のステップＳ３１ないしＳ３７は、図３中のステップＳ１、Ｓ４、Ｓ５、Ｓ６、Ｓ７、Ｓ８、Ｓ１２にそれぞれ対応しており、両図間で対応しているステップにおける記録装置の動作ないし処理の内容は互いに同じである。【００８５】
これにより、データ削除処理またはデータ編集処理が行われたときには、必要に応じて直ちに中継領域が形成される。したがって、その後、新たなコンテンツを２層書き換え可能型ＤＶＤ２０に記録すべき旨の指示がユーザにより入力されたときには、記録装置１０は、当該新たなコンテンツに対応するデータを２層書き換え可能型ＤＶＤ２０に迅速に記録することが可能となる。すなわち、ユーザによるデータ記録の指示を受けた後に、中継領域形成処理を行う必要がないので、指示に応じて実際のデータ記録を素早く開始することができる。【００８６】
また、以上のような実施形態は、専用の装置としてハードウェアと一体的に構成する形態で実現してもよいし、コンピュータにプログラムを読み込ませることによって実現してもよい。以上のような実施形態を、コンピュータにコンピュータプログラムを読み込ませることによって実現する場合には、図３ないし図６に示す記録装置１０の動作、または図１５および図６に示す記録装置の動作を実現するためのコマンドなどが記述されたコンピュータプログラムを作る。そして、このコンピュータプログラムをコンピュータに読み込ませることにより、コンピュータ資源を図１に示す距離認識部１１、距離判断部１２および記録部１３として機能させる。【００８７】
また、図１中の距離認識部１１が距離認識手段の具体例であり、距離判断部１２が距離判断手段の具体例であり、記録部１３が記録手段の具体例である。また、層判断部１４が層判断手段の具体例であり、距離測定部１５が距離測定手段の具体例であり、中継領域形成部１６が中継領域形成手段の具体例である。【００８８】
また、図３中のステップＳ１およびＳ４が距離認識工程の具体例であり、ステップＳ５が距離判断工程の具体例である。また、図３中のステップＳ１２および図４中のステップＳ１３ないしＳ１５が記録工程の具体例である。また、図１５中のステップＳ３１およびＳ３２が距離認識工程の具体例であり、ステップＳ３３が距離判断工程の具体例であり、ステップＳ３７が中継領域形成工程の具体例である。
【実施例】
【００８９】
図１６は、本発明の記録装置の実施例を示している。図１６中の記録装置１００は、テレビ放送局から送信されるテレビ番組などのコンテンツデータを受信し、これをハードディスクまたは２層ＤＶＤ−ＲＷ２００に記録する記録装置であり、例えば、テレビチューナ・ハードディスクドライブ内蔵型ＤＶＤレコーダである。記録装置１００は、テレビ受信回路１０１、エンコーダ１０２、ハードディスクドライブ１０３、ディスク記録制御回路１０４、光ピックアップ１０５、デコーダ１０６、デジタル−アナログコンバータ１０７、１０８、ＣＰＵ１０９、ＲＯＭ１１０およびＲＡＭ１１１を備えている。【００９０】
記録装置１００は、例えば次のようにして、テレビ放送局から送信されたコンテンツデータをハードディスクに記録する。すなわち、テレビ受信回路１０１は、テレビ放送局から送信されたテレビ番組に対応するコンテンツデータを受信し、これをエンコーダ１０２に供給する。エンコーダ１０２は、テレビ受信回路１０１から供給されたコンテンツデータを所定のビットレートでエンコードし、これをハードディスクドライブ１０３に供給する。ハードディスクドライブ１０３は、エンコーダ１０２から供給されたコンテンツデータをハードディスクに記録する。【００９１】
記録装置１００は、例えば次のようにして、テレビ放送局から送信されたコンテンツデータを２層ＤＶＤ−ＲＷ２００に記録する。すなわち、テレビ受信回路１０１は、テレビ放送局から送信されたテレビ番組に対応するコンテンツデータを受信し、これをエンコーダ１０２に供給する。エンコーダ１０２は、テレビ受信回路１０１から供給されたコンテンツデータを所定のビットレートでエンコードし、これをディスク記録制御回路１０４に供給する。ディスク記録制御回路１０４は、光ピックアップ１０５を制御し、エンコーダ１０２から供給されたコンテンツデータを２層ＤＶＤ−ＲＷ２００に記録する。【００９２】
記録装置１００は、２層ＤＶＤ−ＲＷ２００に記録されたコンテンツデータの削除など、２層ＤＶＤ−ＲW２００に記録されたコンテンツデータの編集を行う機能を有する。【００９３】
記録装置１００は、図３ないし図６に示す動作を行うことにより、２層ＤＶＤ−ＲＷ２００において２個の記録可能領域が互いに異なる層に存在し、かつこれらの記録可能領域が互いに大きく離れている場合でも、シームレス再生が保証されるように２層ＤＶＤ−ＲＷ２００にコンテンツデータを記録する機能を有する。すなわち、記録装置１００のＲＯＭ１１０には、図３ないし図６に示すデータ記録動作を示すプログラムが記録されている。記録装置１００は、このプログラムをＣＰＵ１０９により実行することにより、図３ないし図６に示すデータ記録動作を行う。記録装置１００がこのデータ記録動作を行うとき、ＣＰＵ１０９、ＲＯＭ１１０およびＲＡＭ１１１などは、図１に示す距離認識部１１および距離判断部１２として機能する。また、ＣＰＵ１０９、ＲＯＭ１１０、ＲＡＭ１１１およびディスク記録制御回路１０４は、図１に示す記録部１３として機能する。【００９４】
記録装置１００は、ハードディスクに記録されたコンテンツデータを再生する機能を有する。記録装置１００は、例えば次のようにして、ハードディスクに記録されたコンテンツデータを再生する。すなわち、ハードディスクドライブ１０３はハードディスクに記録されたコンテンツデータをデコーダ１０６に供給する。デコーダ１０６は、ハードディスクドライブ１０３から供給されたコンテンツデータをデコードし、デコードにより得られた映像データを映像用のデジタル−アナログコンバータ１０７に供給し、デコードにより得られた音声データを音声用のデジタル−アナログコンバータ１０８に供給する。デジタル−アナログコンバータ１０７は、デコーダ１０６から供給された映像データをアナログの映像信号に変換し、この映像信号を、例えば記録装置１００に接続されたディスプレイパネルに出力する。また、デジタル−アナログコンバータ１０８は、デコーダ１０６から供給された音声データをアナログの音声信号に変換し、この音声信号を、例えば記録装置１００に接続されたスピーカに出力する。【００９５】
記録装置１００は、光ピックアップ１０５を制御して２層ＤＶＤ−ＲＷ２００に記録されたコンテンツデータを読み取り、さらに、デコーダ１０６およびデジタル−アナログコンバータ１０７、１０８を制御して、読み取ったコンテンツデータを再生する機能を有する。【００９６】
なお、本発明は、請求の範囲および明細書全体から読み取るこのできる発明の要旨または思想に反しない範囲で適宜変更可能であり、そのような変更を伴う記録装置および記録方法並びにこれらの機能を実現するコンピュータプログラムもまた本発明の技術思想に含まれる。
【産業上の利用可能性】
【００９７】
本発明に係る記録装置および記録方法は、複数の層を有する記録可能型情報記録媒体に対し情報を記録する記録装置等に利用可能である。また、例えば民生用或いは業務用の各種コンピュータ機器に搭載される又は各種コンピュータ機器に接続可能な記録装置等にも利用可能である。
【図１】
2007037287.tif 000003
【図２】
2007037287.tif 000004
【図３】
2007037287.tif 000005
【図４】
2007037287.tif 000006
【図５】
2007037287.tif 000007
【図６】
2007037287.tif 000008
【図７】
2007037287.tif 000009
【図８】
2007037287.tif 000010
【図９】
2007037287.tif 000011
【図１０】
2007037287.tif 000012
【図１１】
2007037287.tif 000013
【図１２】
2007037287.tif 000014
【図１３】
2007037287.tif 000015
【図１４】
2007037287.tif 000016
【図１５】
2007037287.tif 000017
【図１６】
2007037287.tif 000018
【手続補正書】
【提出日】平成19年7月6日(2007.7.6)
【手続補正１】
【補正対象書類名】特許請求の範囲
【補正対象項目名】請求項１
【補正方法】変更
【補正の内容】
【請求項１】
複数の層を有する情報記録媒体に対し情報を記録する記録装置であって、
互いに異なる層に存在する第１記録可能領域と第２記録可能領域との間の距離を認識する距離認識手段と、
前記距離認識手段により認識された前記距離が所定距離以下であるか否かを判断する距離判断手段と、
前記距離判断手段の判断結果に基づき、前記距離認識手段により認識された前記距離が前記所定距離以下でないときには、順次に再生すべき情報を、（ａ）前記第１記録可能領域、（ｂ）前記第２記録可能領域と同じ層に存在しかつ前記第１記録可能領域との距離が前記所定距離以下である中継領域、および（ｃ）前記第２記録可能領域に、この順序に従って順次に記録する記録手段と、
前記中継領域とすべき場所にすでに別の情報が記録されているときに、当該別の情報を前記第１記録可能領域、前記第２記録可能領域または他の記録可能領域に移動させ、これにより前記中継領域を形成する中継領域形成手段と、
を備えていることを特徴とする記録装置。
【手続補正２】
【補正対象書類名】特許請求の範囲
【補正対象項目名】請求項８
【補正方法】変更
【補正の内容】
【請求項８】
前記中継領域形成手段は、前記中継領域とすべき場所にすでに別の情報が記録
されているときに、当該別の情報を
前記複数の層のうち前記中継領域とすべき場所と同じ層に移動させ、これにより前記中継領域を形成することを特
徴とする請求の範囲第１項に記載の記録装置。
【手続補正３】
【補正対象書類名】特許請求の範囲
【補正対象項目名】請求項９
【補正方法】変更
【補正の内容】
【請求項９】
複数の層を有する情報記録媒体に対し情報を記録する記録装置であって、
互いに異なる層に存在する第１記録可能領域と第２記録可能領域との間の距離を認識する距離認識手段と、
前記距離認識手段により認識された前記距離が所定距離以下であるか否かを判断する距離判断手段と、
前記距離判断手段の判断結果に基づき、前記距離認識手段により認識された前記距離が前記所定距離以下でないときには、順次に再生すべき情報を、（ａ）前記第１記録可能領域、（ｂ）前記第１記録可能領域と同じ層に存在しかつ前記第２記録可能領域との距離が前記所定距離以下である中継領域、および（ｃ）前記第２記録可能領域に、この順序に従って順次に記録する記録手段と、
前記中継領域とすべき場所にすでに別の情報が記録されているときに、当該別の情報を前記第１記録可能領域、前記第２記録可能領域または他の記録可能領域に移動させ、これにより前記中継領域を形成する中継領域形成手段と、
を備えていることを特徴とする記録装置。
【手続補正４】
【補正対象書類名】特許請求の範囲
【補正対象項目名】請求項１５
【補正方法】変更
【補正の内容】
【請求項１５】
前記中継領域形成手段は、前記中継領域とすべき場所にすでに別の情報が記録
されているときに、当該別の情報を前記複数の層のうち前記中継領域とすべき場所と同じ層に移動させ、これにより前記中継領域を形成することを特
徴とする請求の範囲第９項に記載の記録装置。
【手続補正５】
【補正対象書類名】特許請求の範囲
【補正対象項目名】請求項１６
【補正方法】変更
【補正の内容】
【請求項１６】
複数の層を有する情報記録媒体に対し情報を記録する記録装置であって、
互いに異なる層に存在する２個の記録可能領域間の距離を認識する距離認識手段と、
前記距離認識手段により認識された前記距離が所定距離以下であるか否かを判断する距離判断手段と、
前記距離判断手段の判断結果に基づき、前記距離認識手段により認識された前記距離が前記所定距離以下でないときには、前記２個の記録可能領域のうちの一方の記録可能領域と同じ層であってかつ前記２個の記録可能領域のうちの他方の記録可能領域との距離が前記所定距離以下である場所に中継領域を形成する中継領域形成手段とを備え、
前記中継領域形成手段は、前記中継領域とすべき場所にすでに別の情報が記録されているときに、当該別の情報を前記第１記録可能領域、前記第２記録可能領域または他の記録可能領域に移動させ、これにより前記中継領域を形成する
ことを特徴とする記録装置。
【手続補正６】
【補正対象書類名】特許請求の範囲
【補正対象項目名】請求項１７
【補正方法】変更
【補正の内容】
【請求項１７】
複数の層を有する情報記録媒体に対し情報を記録する記録方法であって、
互いに異なる層に存在する第１記録可能領域と第２記録可能領域との間の距離を認識する距離認識工程と、
前記距離認識工程において認識された前記距離が所定距離以下であるか否かを
判断する距離判断工程と、
前記距離判断工程における判断結果に基づき、前記距離認識工程において認識された前記距離が前記所定距離以下でないときには、順次に再生すべき情報を、（ａ）前記第１記録可能領域、（ｂ）前記第２記録可能領域と同じ層に存在しかつ前記第１記録可能領域との距離が前記所定距離以下である中継領域、および（ｃ）前記第２記録可能領域に、この順序に従って順次に記録する記録工程と、
前記中継領域とすべき場所にすでに別の情報が記録されているときに、当該別の情報を前記第１記録可能領域、前記第２記録可能領域または他の記録可能領域に移動させ、これにより前記中継領域を形成する中継領域形成工程と、
を備えていることを特徴とする記録方法。
【手続補正７】
【補正対象書類名】特許請求の範囲
【補正対象項目名】請求項１８
【補正方法】変更
【補正の内容】
【請求項１８】
複数の層を有する情報記録媒体に対し情報を記録する記録方法であって、
互いに異なる層に存在する第１記録可能領域と第２記録可能領域との間の距離を認識する距離認識工程と、
前記距離認識工程において認識された前記距離が所定距離以下であるか否かを判断する距離判断工程と、
前記距離判断工程における判断結果に基づき、前記距離認識工程において認識された前記距離が前記所定距離以下でないときには、順次に再生すべき情報を、（ａ）前記第１記録可能領域、（ｂ）前記第１記録可能領域と同じ層に存在しかつ前記第２記録可能領域との距離が前記所定距離以下である中継領域、および（ｃ）前記第２記録可能領域に、この順序に従って順次に記録する記録工程と、
前記中継領域とすべき場所にすでに別の情報が記録されているときに、当該別の情報を前記第１記録可能領域、前記第２記録可能領域または他の記録可能領域に移動させ、これにより前記中継領域を形成する中継領域形成工程と、
を備えていることを特徴とする記録方法。
【手続補正８】
【補正対象書類名】特許請求の範囲
【補正対象項目名】請求項１９
【補正方法】変更
【補正の内容】
【請求項１９】
複数の層を有する情報記録媒体に対し情報を記録する記録方法であって、
互いに異なる層に存在する２個の記録可能領域間の距離を認識する距離認識工程と、
前記距離認識工程において認識された前記距離が所定距離以下であるか否かを判断する距離判断工程と、
前記距離判断工程における判断結果に基づき、前記距離認識工程において認識された前記距離が前記所定距離以下でないときには、前記２個の記録可能領域のうちの一方の記録可能領域と同じ層であってかつ前記２個の記録可能領域のうちの他方の記録可能領域との距離が前記所定距離以下である場所に中継領域を形成する中継領域形成工程とを備え、
前記中継領域形成工程において、前記中継領域とすべき場所にすでに別の情報が記録されているときに、当該別の情報を前記第１記録可能領域、前記第２記録可能領域または他の記録可能領域に移動させ、これにより前記中継領域を形成する
ことを特徴とする記録方法。
【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
複数の層を有する情報記録媒体に対し情報を記録する記録装置であって、
互いに異なる層に存在する第１記録可能領域と第２記録可能領域との間の距離を認識する距離認識手段と、
前記距離認識手段により認識された前記距離が所定距離以下であるか否かを判断する距離判断手段と、
前記距離判断手段の判断結果に基づき、前記距離認識手段により認識された前記距離が前記所定距離以下でないときには、順次に再生すべき情報を、(a)前記第１記録可能領域、(b)前記第２記録可能領域と同じ層に存在しかつ前記第１記録可能領域との距離が前記所定距離以下である中継領域、および(c)前記第２記録可能領域に、この順序に従って順次に記録する記録手段と、
前記中継領域とすべき場所にすでに別の情報が記録されているときに、当該別の情報を前記第１記録可能領域、前記第２記録可能領域または他の記録可能領域に移動させ、これにより前記中継領域を形成する中継領域形成手段と
を備えていることを特徴とする記録装置。
【請求項２】
前記距離認識手段は、
前記第１記録可能領域と前記第２記録可能領域とが互いに異なる層に存在するか否かを判断する層判断手段と、
前記第１記録可能領域と前記第２記録可能領域との間の距離を測定する距離測定手段とを備えていることを特徴とする請求の範囲第１項に記載の記録装置。
【請求項３】
前記距離認識手段は、前記第１記録可能領域の末尾と前記第２記録可能領域の先頭との間の距離を認識することを特徴とする請求の範囲第１項に記載の記録装置。
【請求項４】
前記所定距離の値は、２個の記録可能領域にそれぞれ記録される情報間のシームレス再生が保証される距離の最大値であることを特徴とする請求の範囲第１項に記載の記録装置。
【請求項５】
前記所定距離は、６５５３６セクタであることを特徴とする請求の範囲第１項に記載の記録装置。
【請求項６】
前記中継領域の長さは、前記情報の１記録単位の長さに等しいことを特徴とする請求の範囲第１項に記載の記録装置。
【請求項７】
前記第１記録可能領域の末尾と前記第２記録可能領域の先頭との間の距離が前記所定距離以下でなく、かつ前記第１記録可能領域の末尾と前記第２記録可能領域の末尾との間の距離が前記所定距離未満であるときには、前記記録手段は、順次に再生すべき情報を、(a)前記第１記録可能領域、(b)前記第２記録可能領域内に存在しかつ前記第１記録可能領域との距離が前記所定距離以下である中継領域、および(c)前記第２記録可能領域内において前記中継領域以外の領域に、この順序に従って順次に記録することを特徴とする請求の範囲第１項に記載の記録装置。
【請求項８】
前記中継領域形成手段は、前記中継領域とすべき場所にすでに別の情報が記録されているときに、当該別の情報を前記複数の層のうち前記中継領域とすべき場所と同じ層に移動させ、これにより前記中継領域を形成することを特徴とする請求の範囲第１項に記載の記録装置。
【請求項９】
複数の層を有する情報記録媒体に対し情報を記録する記録装置であって、
互いに異なる層に存在する第１記録可能領域と第２記録可能領域との間の距離を認識する距離認識手段と、
前記距離認識手段により認識された前記距離が所定距離以下であるか否かを判断する距離判断手段と、
前記距離判断手段の判断結果に基づき、前記距離認識手段により認識された前記距離が前記所定距離以下でないときには、順次に再生すべき情報を、(a)前記第１記録可能領域、(b)前記第１記録可能領域と同じ層に存在しかつ前記第２記録可能領域との距離が前記所定距離以下である中継領域、および(c)前記第２記録可能領域に、この順序に従って順次に記録する記録手段と、
前記中継領域とすべき場所にすでに別の情報が記録されているときに、当該別の情報を前記第１記録可能領域、前記第２記録可能領域または他の記録可能領域に移動させ、これにより前記中継領域を形成する中継領域形成手段と
を備えていることを特徴とする記録装置。
【請求項１０】
前記距離認識手段は、
前記第１記録可能領域と前記第２記録可能領域とが互いに異なる層に存在するか否かを判断する層判断手段と、
前記第１記録可能領域と前記第２記録可能領域との間の距離を測定する距離測定手段とを備えていることを特徴とする請求の範囲第９項に記載の記録装置。
【請求項１１】
前記距離認識手段は、前記第１記録可能領域の末尾と前記第２記録可能領域の先頭との間の距離を認識することを特徴とする請求の範囲第９項に記載の記録装置。
【請求項１２】
前記所定距離の値は、２個の記録可能領域にそれぞれ記録される情報間のシームレス再生が保証される距離の最大値であることを特徴とする請求の範囲第９項に記載の記録装置。
【請求項１３】
前記所定距離は、６５５３６セクタであることを特徴とする請求の範囲第９項に記載の記録装置。
【請求項１４】
前記中継領域の長さは、前記情報の１記録単位の長さに等しいことを特徴とする請求の範囲第９項に記載の記録装置。
【請求項１５】
前記中継領域形成手段は、前記中継領域とすべき場所にすでに別の情報が記録されているときに、当該別の情報を前記複数の層のうち前記中継領域とすべき場所と同じ層に移動させ、これにより前記中継領域を形成することを特徴とする請求の範囲第９項に記載の記録装置。
【請求項１６】
複数の層を有する情報記録媒体に対し情報を記録する記録装置であって、
互いに異なる層に存在する２個の記録可能領域間の距離を認識する距離認識手段と、
前記距離認識手段により認識された前記距離が所定距離以下であるか否かを判断する距離判断手段と、
前記距離判断手段の判断結果に基づき、前記距離認識手段により認識された前記距離が前記所定距離以下でないときには、前記２個の記録可能領域のうちの一方の記録可能領域と同じ層であってかつ前記２個の記録可能領域のうちの他方の記録可能領域との距離が前記所定距離以下である場所に中継領域を形成する中継領域形成手段とを備え、
前記中継領域形成手段は、前記中継領域とすべき場所にすでに別の情報が記録されているときに、当該別の情報を前記第１記録可能領域、前記第２記録可能領域または他の記録可能領域に移動させ、これにより前記中継領域を形成することを特徴とする記録装置。
【請求項１７】
複数の層を有する情報記録媒体に対し情報を記録する記録方法であって、
互いに異なる層に存在する第１記録可能領域と第２記録可能領域との間の距離を認識する距離認識工程と、
前記距離認識工程において認識された前記距離が所定距離以下であるか否かを判断する距離判断工程と、
前記距離判断工程における判断結果に基づき、前記距離認識工程において認識された前記距離が前記所定距離以下でないときには、順次に再生すべき情報を、(a)前記第１記録可能領域、(b)前記第２記録可能領域と同じ層に存在しかつ前記第１記録可能領域との距離が前記所定距離以下である中継領域、および(c)前記第２記録可能領域に、この順序に従って順次に記録する記録工程と、
前記中継領域とすべき場所にすでに別の情報が記録されているときに、当該別の情報を前記第１記録可能領域、前記第２記録可能領域または他の記録可能領域に移動させ、これにより前記中継領域を形成する中継領域形成工程とを備えていることを特徴とする記録方法。
【請求項１８】
複数の層を有する情報記録媒体に対し情報を記録する記録方法であって、
互いに異なる層に存在する第１記録可能領域と第２記録可能領域との間の距離を認識する距離認識工程と、
前記距離認識工程において認識された前記距離が所定距離以下であるか否かを判断する距離判断工程と、
前記距離判断工程における判断結果に基づき、前記距離認識工程において認識された前記距離が前記所定距離以下でないときには、順次に再生すべき情報を、(a)前記第１記録可能領域、(b)前記第１記録可能領域と同じ層に存在しかつ前記第２記録可能領域との距離が前記所定距離以下である中継領域、および(c)前記第２記録可能領域に、この順序に従って順次に記録する記録工程と、
前記中継領域とすべき場所にすでに別の情報が記録されているときに、当該別の情報を前記第１記録可能領域、前記第２記録可能領域または他の記録可能領域に移動させ、これにより前記中継領域を形成する中継領域形成工程とを備えていることを特徴とする記録方法。
【請求項１９】
複数の層を有する情報記録媒体に対し情報を記録する記録方法であって、
互いに異なる層に存在する２個の記録可能領域間の距離を認識する距離認識工程と、
前記距離認識工程において認識された前記距離が所定距離以下であるか否かを判断する距離判断工程と、
前記距離判断工程における判断結果に基づき、前記距離認識工程において認識された前記距離が前記所定距離以下でないときには、前記２個の記録可能領域のうちの一方の記録可能領域と同じ層であってかつ前記２個の記録可能領域のうちの他方の記録可能領域との距離が前記所定距離以下である場所に中継領域を形成する中継領域形成工程とを備え、
前記中継領域形成工程において、前記中継領域とすべき場所にすでに別の情報が記録されているときに、当該別の情報を前記第１記録可能領域、前記第２記録可能領域または他の記録可能領域に移動させ、これにより前記中継領域を形成することを特徴とする記録方法。
【請求項２０】
請求の範囲第１項に記載の記録装置としてコンピュータを機能させることを特徴とするコンピュータプログラム。
【請求項２１】
請求の範囲第９項に記載の記録装置としてコンピュータを機能させることを特徴とするコンピュータプログラム。
【国際調査報告】
2007037287.tif 000019
2007037287.tif 000020
2007037287.tif 000021